(57)【要約】  車両の前部座席からメディアの出し入れや、操作を容易に行うことのできるメディア再生表示装置。この装置（１０）は、車両に搭載され、メディアに記録された情報を再生るメディア再生ユニット（２０）と、メディア再生ユニット（２０）で再生された映像情報を表示する表示ユニット（３０）とを有し、メディア再生ユニット（２０）の内部にメディア（１１）を挿入するためのメディア挿入口（２２ａ）が、車両の前部座席に向かって設けられ、表示ユニット（３０）の表示面が、車両の後部座席から視認可能に配置される。
2010070916.tif 000002
【特許請求の範囲】
【請求項１】
車両に搭載され、メディアに記録された情報を再生するメディア再生ユニットと、前記メディア再生ユニットで再生された映像情報を表示する表示ユニットとを有するメディア再生表示装置であって、
前記メディア再生ユニットの内部にメディアを挿入するためのメディア挿入口が、前記車両の前部座席に向かって設けられ、前記表示ユニットの表示面が、前記車両の後部座席から視認可能に配置される、
メディア再生表示装置。
【請求項２】
前記メディア挿入口は、前記メディア再生表示装置の一方の端部に設けられ、前記表示ユニットは、前記メディア再生表示装置の他方の端部に設けられた回動軸に軸支されて回動可能に設けられた、
請求項１に記載のメディア再生表示装置。
【請求項３】
前記表示ユニットを収納する表示ユニット収納部をさらに有し、
前記表示ユニットは、
前記表示面が前記車両の後部座席から視認可能な位置である視認位置と、前記表示ユニットが前記表示ユニット収納部に収納される収納位置との間を回動する、
請求項２に記載のメディア再生表示装置。
【請求項４】
前記表示ユニット収納部は、
前記表示ユニットの表示面が前記車両の天井面と平行になるように前記表示ユニットを収納する、
請求項３に記載のメディア再生表示装置。
【請求項５】
前記メディア挿入口を覆うシャッタをさらに有する、
請求項１に記載のメディア再生表示装置。
【請求項６】
前記シャッタは、
前記メディア挿入口に対して上下にスライド可能に設けられる、
請求項５に記載のメディア再生表示装置。
【請求項７】
メディアの挿入完了を検出するメディア挿入完了検出手段をさらに有し、
前記シャッタは、
前記メディア挿入完了検出手段の検出結果に応じてスライド動作を行う、
請求項６に記載のメディア再生表示装置。
【請求項８】
前記表示ユニットの表示部を覆う保護カバーをさらに有する、
請求項１に記載のメディア再生表示装置。
【請求項９】
前記保護カバーは、
表面が鏡面処理されている、
請求項８に記載のメディア再生表示装置。
【請求項１０】
前記保護カバーは、
スモークシートにより構成される、
請求項８に記載のメディア再生表示装置。
【発明の詳細な説明】
【技術分野】
【０００１】
本発明は、メディアに記録された音声や映像情報を再生表示するための、メディア再生ユニットと表示ユニットとを一体化した装置であって、自動車などに搭載される、メディア再生表示装置に関するものである。
【背景技術】
【０００２】
従来、自動車などの車両内の天井面に搭載されて、各座席から、メディアの出し入れや操作を容易に行うことのできるメディア再生表示装置が知られている（例えば特許文献１参照）。【０００３】
このような従来のメディア再生装置（以下「従来装置」という）は、通常、メディア再生ユニットおよび表示ユニットが、回転支持機構により、Ｚ軸方向（例えば、鉛直方向）回転軸回りに回転可能に支持されている。したがって、従来装置は、車両後部の左右の座席のいずれかに着座している搭乗者に対しても、操作手段に対する操作により、メディア再生ユニットおよび前記表示ユニットを、正面に向けることができる。また、これにより、後席に座っている搭乗者でも、従来装置へのメディアの出し入れや、リモコンあるいはメディア再生表示装置に搭載されているハードキーによる従来装置に対する操作を、容易に行うことができる。
【先行技術文献】
【特許文献】
【０００４】
【特許文献１】特開２００６−２０５９７７号公報
【発明の概要】
【発明が解決しようとする課題】
【０００５】
しかしながら、従来装置では、操作が煩わしくなるという課題があった。理由は以下の通りである。メディア再生表示装置は、通常、上述の通り車内での搭載位置が高い。このため、車室内の後部座席に子供しか搭乗していない場合、メディアの出し入れや、リモコンあるいはメディア再生表示装置に搭載されているハードキーによる操作が困難となる。したがって、このような場合、前部座席の搭乗者が後部座席の搭乗者に代わって操作を行う必要がある。すると、操作のたびに、メディア挿入口を前部座席に向けるために、前部座席の搭乗者がメディア再生表示装置を回転させる必要がある。【０００６】
本発明の目的は、車両の前部座席の搭乗者が、メディアの出し入れや操作を容易に行うことのできるメディア再生表示装置を提供することである。
【課題を解決するための手段】
【０００７】
本発明のメディア再生表示装置は、車両に搭載され、メディアに記録された情報を再生するメディア再生ユニットと、前記メディア再生ユニットで再生された映像情報を表示する表示ユニットとを有するメディア再生表示装置であって、前記メディア再生ユニットの内部にメディアを挿入するためのメディア挿入口が、前記車両の前部座席に向かって設けられ、前記表示ユニットの表示面が、前記車両の後部座席から視認可能に配置される構成を有している。【０００８】
ここで、後部座席から視認可能に配置されるとは、後部座席の搭乗者が表示面に表示された表示内容の全体を見て表示の内容を認識できる状態に表示面が配置されることを意味する。【０００９】
この構成により、メディア挿入口が車両の前部座席に向くように配置され、なおかつ、表示ユニットの表示面が後部座席に向かうように配置されるので、前部座席の搭乗者がメディアの交換作業を容易に行うことができる。【００１０】
なお、前部座席とは、車両の前側に位置する座席を意味し、例えば、運転席や助手席の列にある座席を意図している。【００１１】
また、本発明のメディア再生表示装置において、前記メディア挿入口は、前記メディア再生表示装置の一方の端部に設けられ、前記表示ユニットは、前記メディア再生表示装置の他方の端部に設けられた回動軸に軸支されて回動可能に設けられた構成を有している。【００１２】
この構成により、本発明のメディア再生表示装置は、メディア交換作業の際に必要なメディア挿入口と、映像情報を表示する表示面とが、それぞれ装置の別の端部に配置されるので、装置自体の大きさを必要最小限にとどめることができ、装置の小型化を実現することができる。【００１３】
また、本発明にかかるメディア再生表示装置は、前記表示ユニットを収納する表示ユニット収納部をさらに有し、前記表示ユニットは、前記表示面が前記車両の後部座席から視認可能な位置である視認位置と、前記表示ユニットが前記表示ユニット収納部に収納される収納位置との間を回動する構成を有している。【００１４】
この構成により、本発明のメディア再生表示装置は、表示ユニットに映像情報を表示させない時、つまり、表示ユニットを使用しない時には、自装置に表示ユニットを収納することで車室内のスペースを有効に活用することができる。【００１５】
さらに、本発明のメディア再生表示装置において、前記表示ユニット収納部は、前記表示ユニットの表示面が前記車両の天井面と平行になるように前記表示ユニットを収納する構成を有している。【００１６】
この構成により、本発明のメディア再生表示装置は、表示ユニットを使用しないで自装置に表示ユニットを収納した場合に、表示ユニットが運転手の車両後方確認の邪魔にならずに済むので、特に後進時の運転の安全性をより高くすることができる。
【発明の効果】
【００１７】
本発明によれば、車両の前部座席の搭乗者が、メディアの出し入れや操作を容易に行うことのできるメディア再生表示装置を提供することができる。
【図面の簡単な説明】
【００１８】
【図１】本発明の実施の形態１にかかるメディア再生表示装置を一方の端部側から見た全体斜視図
【図２】実施の形態１にかかるメディア再生表示装置を他方の端部側から見た全体斜視図
【図３】実施の形態１にかかるメディア再生表示装置の６面図
【図４】実施の形態１にかかるメディア再生表示装置の使用時における底面図および断面図
【図５】実施の形態１にかかる、車両に搭載した状態におけるメディア再生表示装置を一方の端部側から見た全体斜視図
【図６】実施の形態１にかかる、車両に搭載した状態におけるメディア再生表示装置を他方の端部側から見た全体斜視図
【図７】本発明の実施の形態２にかかるメディア再生表示装置を上側からみた斜視図
【図８】実施の形態２にかかる、シャッタが開いている状態におけるメディア再生表示装置をメディア挿入口に向かう方向で見た正面図
【図９】実施の形態２にかかる、シャッタが閉じている状態におけるメディア再生表示装置をメディア挿入口に向かう方向で見た正面図
【図１０】実施の形態２にかかる、表示ユニットを収納部に収納した状態におけるメディア再生表示装置の正面図および断面図
【図１１】実施の形態２にかかる図１０における領域Ｂの部分的な拡大図
【図１２】本発明の実施の形態３にかかるメディア再生表示装置を上側からみた斜視図
【図１３】実施の形態３にかかるメディア再生表示装置を上側からみた斜視図
【発明を実施するための形態】
【００１９】
以下、本発明の各実施の形態について説明する。
【００２０】
（実施の形態１）
以下、本発明の実施の形態１にかかるメディア再生表示装置について、図面を用いて説明する。
【００２１】
図１および図２は本実施の形態にかかるメディア再生表示装置の全体斜視図であり、それぞれ装置の一方の端部および他方の端部側から装置を見た図である。図３は本実施の形態１にかかるメディア再生表示装置の６面図である。図４は本実施の形態１にかかるメディア再生表示装置の底面図および断面図である。図４Ａは、本実施の形態にかかるメディア再生表示装置の使用時における底面図である。図４Ｂは、図４ＡにおけるＡ−Ａ部分の断面図である。
【００２２】
本実施の形態１におけるメディア再生表示装置１０は、メディア再生ユニット２０と表示ユニット３０とが一体化された装置である。メディア再生ユニット２０は、メディア再生表示装置１０の内部に配置され、メディア１１に記録された情報を再生する。表示ユニット３０は、メディア再生ユニット２０で再生された映像情報を表示する。
【００２３】
メディア再生ユニット２０は、ここでは、メディア１１として光ディスクであるＤＶＤ（digital versatile disc）を１枚ずつ挿入して再生するためのＤＶＤ再生ユニットであるものとする。なお、メディア再生ユニット２０は、ＤＶＤ再生ユニット以外であってもよい。例えば、メディア再生ユニット２０は、ＣＤ（compact disc）再生ユニット、ＭＤ（mini disc）再生ユニット、ＢＤ（blu-ray disc）再生ユニット、ＳＤメモリカードやメモリスティックなどに記録された情報を再生するためのメディア再生ユニット、着脱可能なＨＤＤ（hard disk drive）等でもよい。また、メディア再生ユニット２０として、メディア１１を複数枚挿入して装置内部でメディア１１を選択して再生する多連奏型の装置を用いてもよい。
【００２４】
メディア再生ユニット２０は、メディア１１である光ディスクの再生を行うための、光ピックアップやターンテーブルなどのメカトロ部品（図示せず）を内蔵したメディア再生デバイス２２を搭載している。また、メディア再生ユニット２０は、メディア１１の挿排を行うメディア挿入口２２ａを有する。
【００２５】
また、メディア再生ユニット２０は、メディア再生デバイス２２を電気的に制御するための電子部品などを搭載したメディア再生制御部を含む。メディア再生制御部は、メディア再生表示装置１０全体の電子制御を行うための電子部品などを搭載する。メディア再生制御部は、メディア再生デバイス２２および表示ユニット３０を制御する制御基板（以下「メイン基板」という）に設けられている。
【００２６】
表示ユニット３０は、表示ユニット３０を開閉可能に支持するための支軸３１により、メディア再生表示装置１０に取り付けられている。表示ユニット３０は、支軸３１を回動軸として回動し、視認位置と収納位置との間を移動する。ここで、視認位置とは、後部座席の搭乗者が表示ユニット３０の表示面３５に表示された映像を見る時の、表示ユニット３０の位置である。また、収納位置とは、表示ユニット３０に映像を表示しない、つまり、表示ユニット３０を使用しない場合に表示ユニット３０を表示ユニット収納部４０に収納するときの表示ユニット３０の位置である。
【００２７】
表示ユニット３０は、内部に配置された、表示デバイス３２および表示基板と、これらを覆うケース３４などから構成されている。表示デバイス３２は、液晶ディスプレイ、有機ＥＬディスプレイ、無機ＥＬディスプレイ、ＦＥＤ（field emission display）、ＳＥＤ（surface-conduction electron-emitter display）、ＶＦＤ（vacuum fluorescent display）、プラズマディスプレイ、ブラウン管などである。表示基板は、表示デバイス３２を電子制御する表示デバイス制御部を有する基板である。
【００２８】
メディア再生表示装置１０は、さらに、メディア再生ユニット２０と表示ユニット３０を電気的に接続する接続ケーブル（図示せず）を有する。メディア再生ユニット２０と表示ユニット３０との間における、映像信号などの電気信号や制御信号などの送受信は、この接続ケーブルを介して行われる。
【００２９】
メディア再生ユニット２０は、メイン基板、メディア再生デバイス２２およびリモコン受光部などを有する。メイン基板は、メディア再生デバイス２２の電子制御や、表示ユニット３０の表示基板との通信を行う、メディア再生制御部を有する。メディア再生制御部は、リモコンなどの操作手段からの信号を受けるリモコン受光部などの信号受信部に接続されている。なお、メイン基板は、映像出力部、音声出力部、映像入力部をも有する。
【００３０】
表示ユニット３０は、内部に表示基板を有する。この表示基板は、表示デバイス制御部を有し、表示デバイス３２の制御を行う。
【００３１】
メディア再生デバイス２２にメディア１１が挿入（あるいはメディア１１が交換）され、リモコンやハードキー等により再生操作が行われると、メディア再生デバイス２２から出力される映像信号は、表示基板の表示デバイス制御部に送られる。そして、表示デバイス制御部に送られた映像信号は、表示デバイス３２において表示可能な信号に変換さる。この結果、表示デバイス３２において映像が表示され、車両の搭乗者は、表示デバイス３２の表示面３５から表示内容を視認することができる。
【００３２】
また、メディア再生デバイス２２から出力される音声信号は、音声出力部で適正な音声レベルに変換され、コネクタを介して出力される。音声出力部のコネクタは、ワイヤードヘッドフォン用のジャックを接続可能となっている。したがって、搭乗者は、ワイヤードヘッドフォンを用いて、再生された音声を聞き取ることができる。
【００３３】
あるいは、音声出力部は、赤外線や無線を用いて、音声信号をワイヤレスヘッドフォンやスピーカユニットに送信してもよい。この場合、ワイヤレスヘッドフォンやスピーカユニットは、音声出力部から出力された音声信号を受信することができる受信手段と、受信した信号を音声に変換する変換手段とを備える必要がある。これにより、搭乗者は、メディア再生デバイス２２から出力される音声を、ワイヤレスで聴取することが可能となる。
【００３４】
次に、以上のように構成されたメディア再生表示装置１０が車両の天井１２に搭載された状態を説明する。
【００３５】
図５および図６は、本実施の形態１にかかる、車両の天井１２に搭載した状態におけるメディア再生表示装置１０の斜視図である。図５は、車両の天井１２に搭載した状態におけるメディア再生表示装置１０を、車両の前方から後方に向かう方向で見た図である。図６は、車両の天井１２に搭載した状態におけるメディア再生表示装置１０を、車両の後方から前方に向かう方向で見た図である。
【００３６】
図５および図６に示すように、メディア再生表示装置１０は、メディア挿入口２２ａが車両の前部座席（すなわち運転席および助手席）に向かって配置されるように、車両の天井１２に搭載される。したがって、前部座席の搭乗者は、後ろを振り向いて、メディア１１の挿入作業あるいは交換作業を容易に行うことができる。
【００３７】
さらに、メディア再生表示装置１０は、天井１２に搭載された状態において、メディア挿入口２２ａとは反対側に表示ユニット３０を開閉可能に支持するための支軸３１を配置する。そして、表示ユニット３０は、この支軸３１を中心に回動する。表示ユニット３０は、使用されないときは、天井１２と表示ユニット３０の表示面３５とが平行になるように、支軸３１を中心に回動して収納される。また、表示ユニット３０は、使用されるときは、表示ユニット３０の表示面３５が後部座席に向かうように、支軸３１を中心に回動して、その位置が調整される。したがって、表示ユニット３０は、収納時には、表示面３５を下に向けた状態で、表示ユニット収納部４０に収納される。
【００３８】
以上のとおり、本実施の形態１にかかるメディア再生表示装置１０は、映像を表示する表示ユニット３０が使用時にその表示面３５を後部座席に向けて設けられ、なおかつ、メディア挿入口２２ａが前部座席に向かって設けられている。
【００３９】
次に、以上のように構成されたメディア再生表示装置１０について、その動作を説明する。
【００４０】
メディア再生表示装置１０は、天井１２に搭載されているものとする。メディア再生表示装置１０は、搭乗者によって、そのメディア再生ユニット２０のメディア挿入口２２ａにメディア１１が挿入され始めると、メディア再生ユニット２０のメディア挿入口２２ａ近傍で、メディア１１が挿入されたことを検出する。そして、メディア再生表示装置１０は、ローラ（図示せず）を回転させ始め、このローラとメディア再生ユニット２０の筐体などとによって、メディア１１を挟持しながらメディア再生ユニット２０の内部に引き込む動作を行う。この結果、メディア１１は、メディア再生ユニット２０の再生位置（例えば、上述のターンテーブルの上）に載置される。
【００４１】
その後、搭乗者は、メディア再生表示装置１０に対して再生操作を行うことにより、表示デバイス３２により再生された画像を見ることができる。また、搭乗者は、車両に搭載されたスピーカーやワイヤレスヘッドフォン、ワイヤードヘッドフォンなどの音声再生装置（図示せず）により、再生された音声を聞くことができる。
【００４２】
また、メディア再生表示装置１０は、メディア１１の再生が終了したり、他の光ディスクに交換する目的などで、搭乗者によって、イジェクト釦（図示せず）を押すなどの操作が行われると、メディア１１をメディア再生ユニット２０から排出する排出動作に移行する。この排出動作において、メディア再生表示装置１０は、ディスク挿入時とは逆の動作を行う。すなわち、メディア再生表示装置１０は、上述したローラを逆回転させることによって、メディア１１を、ディスク再生位置からメディア挿入口２２ａに向けて排出する。
【００４３】
その後、メディア再生表示装置１０は、メディア１１が所定量排出された時点でローラの回転動作を停止し、メディア１１をローラとメディア再生ユニット２０の筐体などとで挟持した状態を維持する。
【００４４】
そのため、排出されたメディア１１は落下せずにメディア挿入口２２ａで留まり、搭乗者によって引き抜かれることとなる。また、表示ユニット３０は、搭乗者が装置を使用しないときや、運転者の後方視界を妨げる時などには、閉じて収納することができる。
【００４５】
ここで、車両の搭乗者として、後部座席に小さな子供だけが着座しており、自分ではメディア１１の挿排やキーの操作ができない場合を想定する。この場合でも、前部座席にメディア挿入口２２ａが向かっているので、助手席に着座している大人は、メディア１１の挿排を容易に行うことができる。あるいは、助手席に大人が着座していない場合は、車両などの駐停車中に運転手がメディア１１の挿排や操作を行うことになるが、この場合でも、前部座席にメディア挿入口２２ａが向かっているので、運転手はスムーズに操作を行うことができる。
【００４６】
さらに、メディア挿入口２２ａが前部座席側にあることが一目でわかるので、後部座席の子供が無理にメディア挿入口２２ａに対して操作することを抑止することができ、走行中の安全性をより高めることができる。
【００４７】
以上、説明したように、メディア再生表示装置１０は、メディア１１の再生を行うメディア再生ユニット２０のメディア挿入口２２ａを、車両の前部座席に向けて配置し、なおかつ、映像情報を表示する表示ユニット３０の表示面３５を、後部座席に向けて配置することができるように、構成されている。したがって、メディア再生表示装置１０は、車両の後部座席に背の低い子供だけが着座している場合でも、前部座席に着座している大人がメディア１１の交換作業を容易に行うことを可能にし、操作性を向上することができる。
【００４８】
（実施の形態２）
以下、本発明の実施の形態２にかかるメディア再生表示装置について、図面を用いて説明する。
【００４９】
本実施の形態にかかるメディア再生表示装置は、なんらかの影響でメディア再生表示装置内に挿入されていたメディアがメディア再生表示装置外へ飛び出してしまうことを防止するために、メディア再生ユニットのメディア挿入口に対して開閉可能にシャッタを有する点で実施の形態１と異なる。メディアがメディア再生表示装置の外へ飛び出す事態は、例えば、メディア再生表示装置を搭載した車両が走行中にブレーキをかけたときに発生し得る。
【００５０】
本実施の形態にかかるメディア再生表示装置の構成は、シャッタを有すること以外は実施の形態１にかかるメディア再生表示装置と同じである。かかる同じ構成部分には同じ符号を用いて、以下の説明を行う。
【００５１】
図７は、本実施の形態にかかるメディア再生表示装置１０を上側からみた斜視図である。図８は、シャッタ２３が開いている状態におけるメディア再生表示装置１０を、メディア挿入口２２ａに向かう方向で見た正面図である。図９は、シャッタ２３が閉じていている状態におけるメディア再生表示装置１０を、メディア挿入口２２ａに向かう方向で見た正面図である。
【００５２】
図７は、ディスク形状のメディア１１が、シャッタ２３が開いているメディア再生表示装置１０の、メディア再生ユニット２０内部に搬入される途中の状態を示している。すなわち、図７は、メディア１１の一部がメディア挿入口２２ａからメディア再生ユニット２０に挿入されている状態を示している。また、図７は、メディア再生表示装置１０の車両の天井１２に取付ける側の面（メディア再生表示装置１０の天面）１０ａを示している。
【００５３】
この状態において、シャッタ２３は、メディア再生表示装置１０を車両の天井１２に取付けた場合における下方向に、スライドされている。シャッタ２３が下方向にスライドされるとメディア再生ユニット２０に設けられたメディア挿入口２２ａがメディア再生表示装置１０の外部からも視認可能な状態に、つまり、メディア１１をメディア再生ユニット２０の内部へ挿入可能となるように、メディア挿入口２２ａが現れるように構成されている。
【００５４】
シャッタ２３がメディア挿入口２２ａに対して上下にスライドすることにより、メディア挿入口２２ａがクローズ、オープンされる。図８に示すとおり、シャッタ２３が下方向にスライドすることで、メディア挿入口２２ａが搭乗者に対してオープン状態となり、図９に示すとおりシャッタ２３が、上方向にスライドすることでメディア挿入口２２ａがシャッタ２３の裏に隠れることとなり、搭乗者に対してクローズ状態となる。
【００５５】
図１０は、メディア再生表示装置１０の表示ユニット３０を表示ユニット収納部４０に収納した状態における正面図および断面図である。図１０Ａは、メディア再生表示装置１０の表示ユニット３０を表示ユニット収納部４０に収納した状態において表示面３５を正面に見た図である。図１０Ｂは、図１０ＡにおけるＡ−Ａ部分の断面図である。図１１は、図１０における領域Ｂの部分的な拡大図である。
【００５６】
メディア１１は、メディア再生表示装置１０が何らかの衝撃を受けたことによって、メディア挿入口２２ａ側の方向に移動し得る。図１０および図１１に示すように、本実施の形態におけるメディア再生表示装置１０は、シャッタ２３が閉じたクローズ状態とすることができる構成となっている。したがって、メディア再生表示装置１０は、メディア１１がメディア挿入口２２ａ側の方向に移動しても、クローズ状態においては、メディア１１をシャッタ２３に当接させ、メディア再生表示装置１０の外部に飛び出させない。
【００５７】
以上のように構成された本実施の形態にかかるメディア再生表示装置１０の動作のうち、特にそのシャッタ２３の動作について、以下に説明する。
【００５８】
まず、メディア１１がメディア再生表示装置１０の内部に挿入されていない状態において、シャッタ２３は上方向にスライドされた状態（クローズ状態）であるものとする。この状態において、メディア再生表示装置１０は、ボタン（シャッタオープンボタン、図示せず）が操作されると、マイコンなどの制御手段（図示せず）によってこのボタン操作を検出し、モータ（図示せず）を回転させる。この結果、このモータの動力が、図示しないギヤ列を介してシャッタへ伝わり、シャッタ２３は、スライドして下方向へ移動してオープン状態となる。
【００５９】
これにより、メディア挿入口２２ａが出現し、搭乗者はこのメディア挿入口２２ａへメディア１１を挿入することができる。なお、ここでは、最初にメディア１１が挿入されていない場合について説明したが、最初にメディア１１が挿入されており、このメディア１１を他のメディア１１に交換する場合も同様である。
【００６０】
この状態において、搭乗者がメディア１１をメディア挿入口２２ａに挿入したとする。すると、メディア再生表示装置１０は、図７に示すようにメディア１１がある程度メディア再生ユニット２０の内部に入り込んだとき、メディア再生ユニット２０の内部に設けられた検出手段によってメディア１１の挿入を検出し、メディア挿入口２２ａの近傍に設けられたローラを回転させる。これにより、メディア再生表示装置１０は、メディア１１を、このローラとメディア再生ユニット２０の筐体などとで挟持しながら、メディア再生ユニット２０の内部に引き込む動作を行い、メディア１１をメディア再生ユニット２０の再生位置に載置する。
【００６１】
メディア再生表示装置１０は、メディア１１が、再生位置に載置されたとき、あるいは、メディア再生ユニット２０内の奥側まで搬入されてシャッタ２３が上下動作してもメディア１１とシャッタ２３とが接触しない程度の位置まで到達したとき、その旨をメディア挿入完了検出手段（図示せず）によって検出する。そして、メディア再生表示装置１０は、メディア１１が上述の位置に到達したことを検出すると、上述の制御手段がモータを上述とは逆方向に回転させる。これにより、このモータの動力が、図示しないギヤ列を介してシャッタへ伝わり、シャッタ２３は、スライドして上方向へ移動してクローズ状態となる。
【００６２】
さらに、メディア再生表示装置１０は、シャッタ２３がクローズ状態になったことを検出すると、制御手段によって、メディア再生ユニット２０を制御し、メディア１１の再生動作を開始する、あるいは、イニシャル動作を実行して待機状態へ移行する。
【００６３】
その後、メディア再生表示装置１０は、搭乗者によってリモコンやハードキー等により再生操作されると、表示ユニット３０より映像を表示する。この結果、車両の搭乗者は、表示デバイス３２の表示面３５から表示内容を視認することができる。
【００６４】
以上説明したとおり、本実施の形態にかかるメディア再生表示装置１０によれば、メディア再生ユニット２０の内部にメディア１１が存在している状態においては、シャッタ２３がスライドすることによって、メディア挿入口２２ａをシャッタ２３が覆う。すなわち、本実施の形態にかかるメディア再生表示装置１０は、メディア挿入口２２ａを覆うシャッタ２３を備えた構成を有している。
【００６５】
この構成により、メディア再生表示装置１０は、何らかの衝撃が加えられた場合でも、内部に挿入されたメディア１１が装置の外部へ飛び出すことを防止することができ、車両の搭乗者に対する安全性をよりいっそう高めることが可能となる。
【００６６】
また、本実施の形態にかかるメディア再生表示装置１０は、メディア挿入口２２ａに対して上下にスライド可能にシャッタ２３を設けた構成を有している。
【００６７】
この構成により、メディア再生表示装置１０は、簡素な構造でシャッタ２３の開閉動作を行うことができる。
【００６８】
また、本実施の形態にかかるメディア再生表示装置１０は、メディア１１の挿入完了を検出するメディア挿入完了検出手段を備え、メディア挿入完了検出手段の検出結果に応じて、シャッタ２３のスライド動作を行う構成を有している。
【００６９】
この構成により、メディア再生表示装置１０は、メディア１１の挿入が未完了の状態でシャッタ２３の開閉動作を行うことが無いので、シャッタ２３の開閉動作によってメディア１１を傷つけてしまうのを防止することができる。
【００７０】
なお、上述した本実施の形態においては、メディア１１の挿入排出時以外はシャッタ２３が閉じているようにしていたが、これは、塵埃がメディア再生表示装置１０の内部へ侵入することを防止するのに役立つ。
【００７１】
また、上述した本実施の形態においては、メディア再生表示装置１０は、シャッタ２３の動作を電子制御するように構成されていたが、例えばシャッタ２３にツマミを設けた構成としてもよい。これにより、シャッタ２３を搭乗者が手動にて開閉することができる。
【００７２】
（実施の形態３）
以下、本発明の実施の形態３にかかるメディア再生表示装置について、図面を用いて説明する。
【００７３】
本実施の形態にかかるメディア再生表示装置は、表示ユニットの表示面を擦り傷などから保護するための保護カバーが、表示ユニットの表示面を覆って設けられる点において実施の形態１および実施の形態２と異なる。
【００７４】
本実施の形態にかかるメディア再生表示装置の構成は、保護カバーを有すること以外は、実施の形態１および実施の形態２にかかるメディア再生表示装置と同じである。かかる同じ構成部分には同じ符号を用いて、以下の説明を行う。
【００７５】
図１２および図１３は、本実施の形態にかかるメディア再生表示装置１０を上側からみた斜視図である。図１２および図１３は、表示ユニット３０が回動して表示ユニット収納部４０から離れている状態、つまり、搭乗者がメディア再生表示装置１０を使用する位置における状態における、メディア再生表示装置１０を示している。
【００７６】
図１２は、保護カバー５０が表示ユニット３０に取付けられる直前の状態におけるメディア再生表示装置１０を示す。そして、図１３は、保護カバー５０が表示ユニット３０に取り付けられて固定された状態におけるメディア再生表示装置１０を示す。
【００７７】
このように、本実施の形態にかかるメディア再生表示装置１０は、表示ユニット３０の表示面３５を覆った状態で固定される保護カバー５０を有する。このため、搭乗者が誤って表示ユニット３０の表示面３５にぶつかってしまうなど、何らかの影響によって表示面３５に何かが接触したとしても、その接触物は表示面３５に直接接触することがないため、表示面３５に傷が付かずに済む。
【００７８】
本実施の形態において、保護カバー５０は、例えば、次のような光透過性の素材によって構成されている。
【００７９】
すなわち、保護カバー５０は、ＰＣ（ポリカーボネート）、ＰＭＭＡ（メタクリル樹脂）、ＰＥＴ（ポリエチレンテレフタレート）等の合成樹脂、又は、それらのアロイ、石英ガラス、水晶等が用いられてよい。また、保護カバー５０は、この場合、例えば、少なくとも外側の面に対する表面処理が行われており、外側の面が鏡面として作用している。
【００８０】
ここで、保護カバー５０が鏡面として作用しているということは、保護カバー５０がミラーとして使用可能な程度に反射機能を有していることであり、ミラーとしての反射機能が確保されていれば、若干の着色又は文字もしくは図形の表示等がされていても構わない。そして、保護カバー５０が作用する鏡面を、拡大鏡面、縮小鏡面等とすることは、任意である。
【００８１】
また、鏡面反射する鏡面反射層を形成する部位は、保護カバー５０の外側の面に限らず、両面に設けても構わない。
【００８２】
以上のように構成されたメディア再生表示装置１０において、表示ユニット３０の表示面３５を覆う保護カバー５０は、鏡面として作用する。このため、表示ユニット３０の表示面３５は、メディア再生表示装置１０の電源がオフの時であって、静止画や動画を映し出さず、表示ユニット３０が表示ユニット収納部４０に収納されているときに、光の反射により、搭乗者から認識され難くなる。
【００８３】
一方で、メディア再生表示装置１０の使用時には、メディア再生表示装置１０は、電源がオンされて、表示ユニット３０に表示した文字情報、写真や図形等の画像情報の静止画像又は動画像を、保護カバー５０を透過して、搭乗者に向けて視認可能に表示することができる。
【００８４】
したがって、例えば、車外から車内を覗いてメディア再生表示装置１０を見た人にとっては、表示ユニット３０が搭載されていることが認識し難くなる。すなわち、メディア再生表示装置１０の盗難を抑止する効果を得ることができる。
【００８５】
さらに、本実施の形態における保護カバー５０は、スモークシートによって構成されていてもよい。
【００８６】
ここでスモークシートとは、明度の低い色の透過率が２０％程度の樹脂材料を指す。したがって、この場合、保護カバー５０の裏面側から透過する光は、２０％程度に減光される。
【００８７】
本実施の形態における保護カバー５０にスモークシートを適用すると、表示ユニット３０が表示した映像は、搭乗者に対する本来の直接光として、保護カバー５０の裏面に入射する。
【００８８】
このため、このように保護カバー５０の裏面に入射した映像は、保護カバー５０により減光されて、保護カバー５０の表面側から出射する。
【００８９】
以上のとおり保護カバー５０としてスモークシートを用いても、保護カバー５０は、透明樹脂材に鏡面処理したものを用いた場合と同様に作用する。すなわち、例えば、車外から車内を覗いてメディア再生表示装置１０を見た人にとっては、表示ユニット３０が搭載されていることが認識し難くなる。すなわち、メディア再生表示装置１０の盗難を抑止する効果を得ることができる。
【００９０】
なお、保護カバー５０は、表示ユニット３０の表示面３５のみならず、表示ユニット３０が表示ユニット収納部４０に収納された状態において、表示ユニット３０の全体を覆うように構成されていてもよい。さらに、保護カバー５０は、表示ユニット３０が表示ユニット収納部４０に収納された状態において、メディア挿入口２２ａを有する面の全体をも覆うように構成されていてもよい。これにより、不使用時におけるメディア再生表示装置１０そのものの装着が認識し難くなるため、メディア再生表示装置１０の盗難を抑止する効果がさらに向上する。
【００９１】
保護カバー５０の表示ユニット３０に対する固定方法は、特に限定されず、一般的には、貼付又は挟持等の方法を採用すればよい。但し、保護カバー５０が表示ユニット３０に確実に固定され、画像等の投影による視認性が確保され、かつその反射面がミラーとしての品質あるいはスモークシートとしての品質が保持される必要がある。
【００９２】
また、例えば、保護カバー５０の貼付が接着剤等を用いて行われる場合、接着剤層の厚みのばらつき発生や異物混入に伴う影の発生により、保護カバー５０の存在が視認性に悪影響を及ぼすことがある。このため、保護カバー５０の貼付および挟持は、表示ユニット３０の表示面３５全面ではなく、ケース３４のような表示面３５の枠の外などのように、外部から目につかない部位（視認性に悪影響を及ぼし難い部位）のみでスポット的に行われることが望ましい。
【００９３】
２００８年１２月１８日出願の特願２００８−３２２１６１の日本出願および２００９年８月４日出願の特願２００９−１８１４１８の日本出願に含まれる明細書、図面および要約書の開示内容は、すべて本願に援用される。
【産業上の利用可能性】
【００９４】
以上のように、本発明に係るメディア再生表示装置は、メディア挿入口が車両の前部座席に向くように配置され、なおかつ、表示ユニットの表示面が後部座席に向かうように配置される。これにより、本発明に係るメディア再生表示装置は、前部座席の搭乗者がメディアの交換作業を容易に行うことができ、操作性を向上することができるという効果を有する。したがって、本発明に係るメディア再生表示装置は、メディアに記録された音声や映像情報を再生表示するためのメディア再生ユニットと表示ユニットを一体化した装置であって、車両に搭載されるメディア再生表示装置等として有用である。
【符号の説明】
【００９５】
１０  メディア再生表示装置
１１  メディア
１２  天井
２０  メディア再生ユニット
２２  メディア再生デバイス
２２ａ  メディア挿入口
３０  表示ユニット
３１  支軸
３４  ケース
３５  表示面
４０  表示ユニット収納部
５０  保護カバー
【図１】
2010070916.tif 000003
【図２】
2010070916.tif 000004
【図３】
2010070916.tif 000005
【図４】
2010070916.tif 000006
【図５】
2010070916.tif 000007
【図６】
2010070916.tif 000008
【図７】
2010070916.tif 000009
【図８】
2010070916.tif 000010
【図９】
2010070916.tif 000011
【図１０】
2010070916.tif 000012
【図１１】
2010070916.tif 000013
【図１２】
2010070916.tif 000014
【図１３】
2010070916.tif 000015
【手続補正書】
【提出日】平成22年2月23日(2010.2.23)
【手続補正１】
【補正対象書類名】特許請求の範囲
【補正対象項目名】全文
【補正方法】変更
【補正の内容】
【特許請求の範囲】
【請求項１】
車両に搭載され、メディアに記録された情報を再生するメディア再生ユニットと、前記メディア再生ユニットで再生された映像情報を表示する表示ユニットとを有するメディア再生表示装置であって、
前記メディア再生ユニットの内部にメディアを挿入するためのメディア挿入口が、前記車両の前部座席に向かって設けられ、前記表示ユニットの表示面が、前記車両の後部座席から視認可能に配置され、
前記メディア挿入口は、前記メディア再生表示装置の一方の端部に設けられ、前記表示ユニットは、前記メディア再生表示装置の他方の端部に設けられた回動軸に軸支されて回動可能に設けられた、
メディア再生表示装置。
【請求項２】
前記表示ユニットを収納する表示ユニット収納部をさらに有し、
前記表示ユニットは、
前記表示面が前記車両の後部座席から視認可能な位置である視認位置と、前記表示ユニットが前記表示ユニット収納部に収納される収納位置との間を回動する、
請求項１に記載のメディア再生表示装置。
【請求項３】
前記表示ユニット収納部は、
前記表示ユニットの表示面が前記車両の天井面と平行になるように前記表示ユニットを収納する、
請求項２に記載のメディア再生表示装置。
【請求項４】
前記メディア挿入口を覆うシャッタをさらに有する、
請求項１に記載のメディア再生表示装置。
【請求項５】
前記シャッタは、
前記メディア挿入口に対して上下にスライド可能に設けられる、
請求項４に記載のメディア再生表示装置。
【請求項６】
メディアの挿入完了を検出するメディア挿入完了検出手段をさらに有し、
前記シャッタは、
前記メディア挿入完了検出手段の検出結果に応じてスライド動作を行う、
請求項５に記載のメディア再生表示装置。
【請求項７】
前記表示ユニットの表示部を覆う保護カバーをさらに有する、
請求項１に記載のメディア再生表示装置。
【請求項８】
前記保護カバーは、
表面が鏡面処理されている、
請求項７に記載のメディア再生表示装置。
【請求項９】
前記保護カバーは、
スモークシートにより構成される、
請求項７に記載のメディア再生表示装置。
【請求項１０】
（削除）
【手続補正書】
【提出日】平成22年6月28日(2010.6.28)
【手続補正１】
【補正対象書類名】明細書
【補正対象項目名】全文
【補正方法】変更
【補正の内容】
【発明の詳細な説明】
【技術分野】
【０００１】
本発明は、メディアに記録された音声や映像情報を再生表示するための、メディア再生ユニットと表示ユニットとを一体化した装置であって、自動車などに搭載される、メディア再生表示装置に関するものである。
【背景技術】
【０００２】
従来、自動車などの車両内の天井面に搭載されて、各座席から、メディアの出し入れや操作を容易に行うことのできるメディア再生表示装置が知られている（例えば特許文献１参照）。
【０００３】
このような従来のメディア再生装置（以下「従来装置」という）は、通常、メディア再生ユニットおよび表示ユニットが、回転支持機構により、Ｚ軸方向（例えば、鉛直方向）回転軸回りに回転可能に支持されている。したがって、従来装置は、車両後部の左右の座席のいずれかに着座している搭乗者に対しても、操作手段に対する操作により、メディア再生ユニットおよび前記表示ユニットを、正面に向けることができる。また、これにより、後席に座っている搭乗者でも、従来装置へのメディアの出し入れや、リモコンあるいはメディア再生表示装置に搭載されているハードキーによる従来装置に対する操作を、容易に行うことができる。
【先行技術文献】
【特許文献】
【０００４】
【特許文献１】特開２００６−２０５９７７号公報
【発明の概要】
【発明が解決しようとする課題】
【０００５】
しかしながら、従来装置では、操作が煩わしくなるという課題があった。理由は以下の通りである。メディア再生表示装置は、通常、上述の通り車内での搭載位置が高い。このため、車室内の後部座席に子供しか搭乗していない場合、メディアの出し入れや、リモコンあるいはメディア再生表示装置に搭載されているハードキーによる操作が困難となる。したがって、このような場合、前部座席の搭乗者が後部座席の搭乗者に代わって操作を行う必要がある。すると、操作のたびに、メディア挿入口を前部座席に向けるために、前部座席の搭乗者がメディア再生表示装置を回転させる必要がある。
【０００６】
本発明の目的は、車両の前部座席の搭乗者が、メディアの出し入れや操作を容易に行うことのできるメディア再生表示装置を提供することである。
【課題を解決するための手段】
【０００７】
本発明のメディア再生表示装置は、車両に搭載され、メディアに記録された情報を再生するメディア再生ユニットと、前記メディア再生ユニットで再生された映像情報を表示する表示ユニットとを有するメディア再生表示装置であって、前記メディア再生ユニットの内部にメディアを挿入するためのメディア挿入口が、前記車両の前部座席に向かって設けられ、前記表示ユニットの表示面が、前記車両の後部座席から視認可能に配置される構成を有している。
【０００８】
ここで、後部座席から視認可能に配置されるとは、後部座席の搭乗者が表示面に表示された表示内容の全体を見て表示の内容を認識できる状態に表示面が配置されることを意味する。
【０００９】
この構成により、メディア挿入口が車両の前部座席に向くように配置され、なおかつ、表示ユニットの表示面が後部座席に向かうように配置されるので、前部座席の搭乗者がメディアの交換作業を容易に行うことができる。
【００１０】
なお、前部座席とは、車両の前側に位置する座席を意味し、例えば、運転席や助手席の列にある座席を意図している。
【００１１】
また、本発明のメディア再生表示装置において、前記メディア挿入口は、前記メディア再生表示装置の一方の端部に設けられ、前記表示ユニットは、前記メディア再生表示装置の他方の端部に設けられた回動軸に軸支されて回動可能に設けられた構成を有している。
【００１２】
この構成により、本発明のメディア再生表示装置は、メディア交換作業の際に必要なメディア挿入口と、映像情報を表示する表示面とが、それぞれ装置の別の端部に配置されるので、装置自体の大きさを必要最小限にとどめることができ、装置の小型化を実現することができる。
【００１３】
また、本発明にかかるメディア再生表示装置は、前記表示ユニットを収納する表示ユニット収納部をさらに有し、前記表示ユニットは、前記表示面が前記車両の後部座席から視認可能な位置である視認位置と、前記表示ユニットが前記表示ユニット収納部に収納される収納位置との間を回動する構成を有している。
【００１４】
この構成により、本発明のメディア再生表示装置は、表示ユニットに映像情報を表示させない時、つまり、表示ユニットを使用しない時には、自装置に表示ユニットを収納することで車室内のスペースを有効に活用することができる。
【００１５】
さらに、本発明のメディア再生表示装置において、前記表示ユニット収納部は、前記表示ユニットの表示面が前記車両の天井面と平行になるように前記表示ユニットを収納する構成を有している。
【００１６】
この構成により、本発明のメディア再生表示装置は、表示ユニットを使用しないで自装置に表示ユニットを収納した場合に、表示ユニットが運転手の車両後方確認の邪魔にならずに済むので、特に後進時の運転の安全性をより高くすることができる。
【発明の効果】
【００１７】
本発明によれば、車両の前部座席の搭乗者が、メディアの出し入れや操作を容易に行うことのできるメディア再生表示装置を提供することができる。
【図面の簡単な説明】
【００１８】
【図１】本発明の実施の形態１にかかるメディア再生表示装置を一方の端部側から見た全体斜視図
【図２】実施の形態１にかかるメディア再生表示装置を他方の端部側から見た全体斜視図
【図３】実施の形態１にかかるメディア再生表示装置の６面図
【図４】実施の形態１にかかるメディア再生表示装置の使用時における底面図および断面図
【図５】実施の形態１にかかる、車両に搭載した状態におけるメディア再生表示装置を一方の端部側から見た全体斜視図
【図６】実施の形態１にかかる、車両に搭載した状態におけるメディア再生表示装置を他方の端部側から見た全体斜視図
【図７】本発明の実施の形態２にかかるメディア再生表示装置を上側からみた斜視図
【図８】実施の形態２にかかる、シャッタが開いている状態におけるメディア再生表示装置をメディア挿入口に向かう方向で見た正面図
【図９】実施の形態２にかかる、シャッタが閉じている状態におけるメディア再生表示装置をメディア挿入口に向かう方向で見た正面図
【図１０】実施の形態２にかかる、表示ユニットを収納部に収納した状態におけるメディア再生表示装置の正面図および断面図
【図１１】実施の形態２にかかる図１０における領域Ｂの部分的な拡大図
【図１２】本発明の実施の形態３にかかるメディア再生表示装置を上側からみた斜視図
【図１３】実施の形態３にかかるメディア再生表示装置を上側からみた斜視図
【発明を実施するための形態】
【００１９】
以下、本発明の各実施の形態について説明する。
【００２０】
（実施の形態１）
以下、本発明の実施の形態１にかかるメディア再生表示装置について、図面を用いて説明する。
【００２１】
図１および図２は本実施の形態にかかるメディア再生表示装置の全体斜視図であり、それぞれ装置の一方の端部および他方の端部側から装置を見た図である。図３は本実施の形態１にかかるメディア再生表示装置の６面図である。図４は本実施の形態１にかかるメディア再生表示装置の底面図および断面図である。図４Ａは、本実施の形態にかかるメディア再生表示装置の使用時における底面図である。図４Ｂは、図４ＡにおけるＡ−Ａ部分の断面図である。
【００２２】
本実施の形態１におけるメディア再生表示装置１０は、メディア再生ユニット２０と表示ユニット３０とが一体化された装置である。メディア再生ユニット２０は、メディア再生表示装置１０の内部に配置され、メディア１１に記録された情報を再生する。表示ユニット３０は、メディア再生ユニット２０で再生された映像情報を表示する。
【００２３】
メディア再生ユニット２０は、ここでは、メディア１１として光ディスクであるＤＶＤ（digital versatile disc）を１枚ずつ挿入して再生するためのＤＶＤ再生ユニットであるものとする。なお、メディア再生ユニット２０は、ＤＶＤ再生ユニット以外であってもよい。例えば、メディア再生ユニット２０は、ＣＤ（compact disc）再生ユニット、ＭＤ（mini disc）再生ユニット、ＢＤ（blu-ray disc）再生ユニット、ＳＤメモリカードやメモリスティックなどに記録された情報を再生するためのメディア再生ユニット、着脱可能なＨＤＤ（hard disk drive）等でもよい。また、メディア再生ユニット２０として、メディア１１を複数枚挿入して装置内部でメディア１１を選択して再生する多連奏型の装置を用いてもよい。
【００２４】
メディア再生ユニット２０は、メディア１１である光ディスクの再生を行うための、光ピックアップやターンテーブルなどのメカトロ部品（図示せず）を内蔵したメディア再生デバイス２２を搭載している。また、メディア再生ユニット２０は、メディア１１の挿排を行うメディア挿入口２２ａを有する。
【００２５】
また、メディア再生ユニット２０は、メディア再生デバイス２２を電気的に制御するための電子部品などを搭載したメディア再生制御部を含む。メディア再生制御部は、メディア再生表示装置１０全体の電子制御を行うための電子部品などを搭載する。メディア再生制御部は、メディア再生デバイス２２および表示ユニット３０を制御する制御基板（以下「メイン基板」という）に設けられている。
【００２６】
表示ユニット３０は、表示ユニット３０を開閉可能に支持するための支軸３１により、メディア再生表示装置１０に取り付けられている。表示ユニット３０は、支軸３１を回動軸として回動し、視認位置と収納位置との間を移動する。ここで、視認位置とは、後部座席の搭乗者が表示ユニット３０の表示面３５に表示された映像を見る時の、表示ユニット３０の位置である。また、収納位置とは、表示ユニット３０に映像を表示しない、つまり、表示ユニット３０を使用しない場合に表示ユニット３０を表示ユニット収納部４０に収納するときの表示ユニット３０の位置である。
【００２７】
表示ユニット３０は、内部に配置された、表示デバイス３２および表示基板と、これらを覆うケース３４などから構成されている。表示デバイス３２は、液晶ディスプレイ、有機ＥＬディスプレイ、無機ＥＬディスプレイ、ＦＥＤ（field emission display）、ＳＥＤ（surface-conduction electron-emitter display）、ＶＦＤ（vacuum fluorescent display）、プラズマディスプレイ、ブラウン管などである。表示基板は、表示デバイス３２を電子制御する表示デバイス制御部を有する基板である。
【００２８】
メディア再生表示装置１０は、さらに、メディア再生ユニット２０と表示ユニット３０を電気的に接続する接続ケーブル（図示せず）を有する。メディア再生ユニット２０と表示ユニット３０との間における、映像信号などの電気信号や制御信号などの送受信は、この接続ケーブルを介して行われる。
【００２９】
メディア再生ユニット２０は、メイン基板、メディア再生デバイス２２およびリモコン受光部などを有する。メイン基板は、メディア再生デバイス２２の電子制御や、表示ユニット３０の表示基板との通信を行う、メディア再生制御部を有する。メディア再生制御部は、リモコンなどの操作手段からの信号を受けるリモコン受光部などの信号受信部に接続されている。なお、メイン基板は、映像出力部、音声出力部、映像入力部をも有する。
【００３０】
表示ユニット３０は、内部に表示基板を有する。この表示基板は、表示デバイス制御部を有し、表示デバイス３２の制御を行う。
【００３１】
メディア再生デバイス２２にメディア１１が挿入（あるいはメディア１１が交換）され、リモコンやハードキー等により再生操作が行われると、メディア再生デバイス２２から出力される映像信号は、表示基板の表示デバイス制御部に送られる。そして、表示デバイス制御部に送られた映像信号は、表示デバイス３２において表示可能な信号に変換さる。この結果、表示デバイス３２において映像が表示され、車両の搭乗者は、表示デバイス３２の表示面３５から表示内容を視認することができる。
【００３２】
また、メディア再生デバイス２２から出力される音声信号は、音声出力部で適正な音声レベルに変換され、コネクタを介して出力される。音声出力部のコネクタは、ワイヤードヘッドフォン用のジャックを接続可能となっている。したがって、搭乗者は、ワイヤードヘッドフォンを用いて、再生された音声を聞き取ることができる。
【００３３】
あるいは、音声出力部は、赤外線や無線を用いて、音声信号をワイヤレスヘッドフォンやスピーカユニットに送信してもよい。この場合、ワイヤレスヘッドフォンやスピーカユニットは、音声出力部から出力された音声信号を受信することができる受信手段と、受信した信号を音声に変換する変換手段とを備える必要がある。これにより、搭乗者は、メディア再生デバイス２２から出力される音声を、ワイヤレスで聴取することが可能となる。
【００３４】
次に、以上のように構成されたメディア再生表示装置１０が車両の天井１２に搭載された状態を説明する。
【００３５】
図５および図６は、本実施の形態１にかかる、車両の天井１２に搭載した状態におけるメディア再生表示装置１０の斜視図である。図５は、車両の天井１２に搭載した状態におけるメディア再生表示装置１０を、車両の前方から後方に向かう方向で見た図である。図６は、車両の天井１２に搭載した状態におけるメディア再生表示装置１０を、車両の後方から前方に向かう方向で見た図である。
【００３６】
図５および図６に示すように、メディア再生表示装置１０は、メディア挿入口２２ａが車両の前部座席（すなわち運転席および助手席）に向かって配置されるように、車両の天井１２に搭載される。したがって、前部座席の搭乗者は、後ろを振り向いて、メディア１１の挿入作業あるいは交換作業を容易に行うことができる。
【００３７】
さらに、メディア再生表示装置１０は、天井１２に搭載された状態において、メディア挿入口２２ａとは反対側に表示ユニット３０を開閉可能に支持するための支軸３１を配置する。そして、表示ユニット３０は、この支軸３１を中心に回動する。表示ユニット３０は、使用されないときは、天井１２と表示ユニット３０の表示面３５とが平行になるように、支軸３１を中心に回動して収納される。また、表示ユニット３０は、使用されるときは、表示ユニット３０の表示面３５が後部座席に向かうように、支軸３１を中心に回動して、その位置が調整される。したがって、表示ユニット３０は、収納時には、表示面３５を下に向けた状態で、表示ユニット収納部４０に収納される。
【００３８】
以上のとおり、本実施の形態１にかかるメディア再生表示装置１０は、映像を表示する表示ユニット３０が使用時にその表示面３５を後部座席に向けて設けられ、なおかつ、メディア挿入口２２ａが前部座席に向かって設けられている。
【００３９】
次に、以上のように構成されたメディア再生表示装置１０について、その動作を説明
する。
【００４０】
メディア再生表示装置１０は、天井１２に搭載されているものとする。メディア再生表示装置１０は、搭乗者によって、そのメディア再生ユニット２０のメディア挿入口２２ａにメディア１１が挿入され始めると、メディア再生ユニット２０のメディア挿入口２２ａ近傍で、メディア１１が挿入されたことを検出する。そして、メディア再生表示装置１０は、ローラ（図示せず）を回転させ始め、このローラとメディア再生ユニット２０の筐体などとによって、メディア１１を挟持しながらメディア再生ユニット２０の内部に引き込む動作を行う。この結果、メディア１１は、メディア再生ユニット２０の再生位置（例えば、上述のターンテーブルの上）に載置される。
【００４１】
その後、搭乗者は、メディア再生表示装置１０に対して再生操作を行うことにより、表示デバイス３２により再生された画像を見ることができる。また、搭乗者は、車両に搭載されたスピーカーやワイヤレスヘッドフォン、ワイヤードヘッドフォンなどの音声再生装置（図示せず）により、再生された音声を聞くことができる。
【００４２】
また、メディア再生表示装置１０は、メディア１１の再生が終了したり、他の光ディスクに交換する目的などで、搭乗者によって、イジェクト釦（図示せず）を押すなどの操作が行われると、メディア１１をメディア再生ユニット２０から排出する排出動作に移行する。この排出動作において、メディア再生表示装置１０は、ディスク挿入時とは逆の動作を行う。すなわち、メディア再生表示装置１０は、上述したローラを逆回転させることによって、メディア１１を、ディスク再生位置からメディア挿入口２２ａに向けて排出する。
【００４３】
その後、メディア再生表示装置１０は、メディア１１が所定量排出された時点でローラの回転動作を停止し、メディア１１をローラとメディア再生ユニット２０の筐体などとで挟持した状態を維持する。
【００４４】
そのため、排出されたメディア１１は落下せずにメディア挿入口２２ａで留まり、搭乗者によって引き抜かれることとなる。また、表示ユニット３０は、搭乗者が装置を使用しないときや、運転者の後方視界を妨げる時などには、閉じて収納することができる。
【００４５】
ここで、車両の搭乗者として、後部座席に小さな子供だけが着座しており、自分ではメディア１１の挿排やキーの操作ができない場合を想定する。この場合でも、前部座席にメディア挿入口２２ａが向かっているので、助手席に着座している大人は、メディア１１の挿排を容易に行うことができる。あるいは、助手席に大人が着座していない場合は、車両などの駐停車中に運転手がメディア１１の挿排や操作を行うことになるが、この場合でも、前部座席にメディア挿入口２２ａが向かっているので、運転手はスムーズに操作を行うことができる。
【００４６】
さらに、メディア挿入口２２ａが前部座席側にあることが一目でわかるので、後部座席の子供が無理にメディア挿入口２２ａに対して操作することを抑止することができ、走行中の安全性をより高めることができる。
【００４７】
以上、説明したように、メディア再生表示装置１０は、メディア１１の再生を行うメディア再生ユニット２０のメディア挿入口２２ａを、車両の前部座席に向けて配置し、なおかつ、映像情報を表示する表示ユニット３０の表示面３５を、後部座席に向けて配置することができるように、構成されている。したがって、メディア再生表示装置１０は、車両の後部座席に背の低い子供だけが着座している場合でも、前部座席に着座している大人がメディア１１の交換作業を容易に行うことを可能にし、操作性を向上することができる。
【００４８】
（実施の形態２）
以下、本発明の実施の形態２にかかるメディア再生表示装置について、図面を用いて説明する。
【００４９】
本実施の形態にかかるメディア再生表示装置は、なんらかの影響でメディア再生表示装置内に挿入されていたメディアがメディア再生表示装置外へ飛び出してしまうことを防止するために、メディア再生ユニットのメディア挿入口に対して開閉可能にシャッタを有する点で実施の形態１と異なる。メディアがメディア再生表示装置の外へ飛び出す事態は、例えば、メディア再生表示装置を搭載した車両が走行中にブレーキをかけたときに発生し得る。
【００５０】
本実施の形態にかかるメディア再生表示装置の構成は、シャッタを有すること以外は実施の形態１にかかるメディア再生表示装置と同じである。かかる同じ構成部分には同じ符号を用いて、以下の説明を行う。
【００５１】
図７は、本実施の形態にかかるメディア再生表示装置１０を上側からみた斜視図である。図８は、シャッタ２３が開いている状態におけるメディア再生表示装置１０を、メディア挿入口２２ａに向かう方向で見た正面図である。図９は、シャッタ２３が閉じていている状態におけるメディア再生表示装置１０を、メディア挿入口２２ａに向かう方向で見た正面図である。
【００５２】
図７は、ディスク形状のメディア１１が、シャッタ２３が開いているメディア再生表示装置１０の、メディア再生ユニット２０内部に搬入される途中の状態を示している。すなわち、図７は、メディア１１の一部がメディア挿入口２２ａからメディア再生ユニット２０に挿入されている状態を示している。また、図７は、メディア再生表示装置１０の車両の天井１２に取付ける側の面（メディア再生表示装置１０の天面）１０ａを示している。
【００５３】
この状態において、シャッタ２３は、メディア再生表示装置１０を車両の天井１２に取付けた場合における下方向に、スライドされている。シャッタ２３が下方向にスライドされるとメディア再生ユニット２０に設けられたメディア挿入口２２ａがメディア再生表示装置１０の外部からも視認可能な状態に、つまり、メディア１１をメディア再生ユニット２０の内部へ挿入可能となるように、メディア挿入口２２ａが現れるように構成されている。
【００５４】
シャッタ２３がメディア挿入口２２ａに対して上下にスライドすることにより、メディア挿入口２２ａがクローズ、オープンされる。図８に示すとおり、シャッタ２３が下方向にスライドすることで、メディア挿入口２２ａが搭乗者に対してオープン状態となり、図９に示すとおりシャッタ２３が、上方向にスライドすることでメディア挿入口２２ａがシャッタ２３の裏に隠れることとなり、搭乗者に対してクローズ状態となる。
【００５５】
図１０は、メディア再生表示装置１０の表示ユニット３０を表示ユニット収納部４０に収納した状態における正面図および断面図である。図１０Ａは、メディア再生表示装置１０の表示ユニット３０を表示ユニット収納部４０に収納した状態において表示面３５を正面に見た図である。図１０Ｂは、図１０ＡにおけるＡ−Ａ部分の断面図である。図１１は、図１０における領域Ｂの部分的な拡大図である。
【００５６】
メディア１１は、メディア再生表示装置１０が何らかの衝撃を受けたことによって、メディア挿入口２２ａ側の方向に移動し得る。図１０および図１１に示すように、本実施の形態におけるメディア再生表示装置１０は、シャッタ２３が閉じたクローズ状態とすることができる構成となっている。したがって、メディア再生表示装置１０は、メディア１１がメディア挿入口２２ａ側の方向に移動しても、クローズ状態においては、メディア１１をシャッタ２３に当接させ、メディア再生表示装置１０の外部に飛び出させない。
【００５７】
以上のように構成された本実施の形態にかかるメディア再生表示装置１０の動作のうち、特にそのシャッタ２３の動作について、以下に説明する。
【００５８】
まず、メディア１１がメディア再生表示装置１０の内部に挿入されていない状態において、シャッタ２３は上方向にスライドされた状態（クローズ状態）であるものとする。この状態において、メディア再生表示装置１０は、ボタン（シャッタオープンボタン、図示せず）が操作されると、マイコンなどの制御手段（図示せず）によってこのボタン操作を検出し、モータ（図示せず）を回転させる。この結果、このモータの動力が、図示しないギヤ列を介してシャッタへ伝わり、シャッタ２３は、スライドして下方向へ移動してオープン状態となる。
【００５９】
これにより、メディア挿入口２２ａが出現し、搭乗者はこのメディア挿入口２２ａへメディア１１を挿入することができる。なお、ここでは、最初にメディア１１が挿入されていない場合について説明したが、最初にメディア１１が挿入されており、このメディア１１を他のメディア１１に交換する場合も同様である。
【００６０】
この状態において、搭乗者がメディア１１をメディア挿入口２２ａに挿入したとする。すると、メディア再生表示装置１０は、図７に示すようにメディア１１がある程度メディア再生ユニット２０の内部に入り込んだとき、メディア再生ユニット２０の内部に設けられた検出手段によってメディア１１の挿入を検出し、メディア挿入口２２ａの近傍に設けられたローラを回転させる。これにより、メディア再生表示装置１０は、メディア１１を、このローラとメディア再生ユニット２０の筐体などとで挟持しながら、メディア再生ユニット２０の内部に引き込む動作を行い、メディア１１をメディア再生ユニット２０の再生位置に載置する。
【００６１】
メディア再生表示装置１０は、メディア１１が、再生位置に載置されたとき、あるいは、メディア再生ユニット２０内の奥側まで搬入されてシャッタ２３が上下動作してもメディア１１とシャッタ２３とが接触しない程度の位置まで到達したとき、その旨をメディア挿入完了検出手段（図示せず）によって検出する。そして、メディア再生表示装置１０は、メディア１１が上述の位置に到達したことを検出すると、上述の制御手段がモータを上述とは逆方向に回転させる。これにより、このモータの動力が、図示しないギヤ列を介してシャッタへ伝わり、シャッタ２３は、スライドして上方向へ移動してクローズ状態となる。
【００６２】
さらに、メディア再生表示装置１０は、シャッタ２３がクローズ状態になったことを検出すると、制御手段によって、メディア再生ユニット２０を制御し、メディア１１の再生動作を開始する、あるいは、イニシャル動作を実行して待機状態へ移行する。
【００６３】
その後、メディア再生表示装置１０は、搭乗者によってリモコンやハードキー等により再生操作されると、表示ユニット３０より映像を表示する。この結果、車両の搭乗者は、表示デバイス３２の表示面３５から表示内容を視認することができる。
【００６４】
以上説明したとおり、本実施の形態にかかるメディア再生表示装置１０によれば、メディア再生ユニット２０の内部にメディア１１が存在している状態においては、シャッタ２３がスライドすることによって、メディア挿入口２２ａをシャッタ２３が覆う。すなわち、本実施の形態にかかるメディア再生表示装置１０は、メディア挿入口２２ａを覆うシャッタ２３を備えた構成を有している。
【００６５】
この構成により、メディア再生表示装置１０は、何らかの衝撃が加えられた場合でも、内部に挿入されたメディア１１が装置の外部へ飛び出すことを防止することができ、車両の搭乗者に対する安全性をよりいっそう高めることが可能となる。
【００６６】
また、本実施の形態にかかるメディア再生表示装置１０は、メディア挿入口２２ａに対して上下にスライド可能にシャッタ２３を設けた構成を有している。
【００６７】
この構成により、メディア再生表示装置１０は、簡素な構造でシャッタ２３の開閉動作を行うことができる。
【００６８】
また、本実施の形態にかかるメディア再生表示装置１０は、メディア１１の挿入完了を検出するメディア挿入完了検出手段を備え、メディア挿入完了検出手段の検出結果に応じて、シャッタ２３のスライド動作を行う構成を有している。
【００６９】
この構成により、メディア再生表示装置１０は、メディア１１の挿入が未完了の状態でシャッタ２３の開閉動作を行うことが無いので、シャッタ２３の開閉動作によってメディア１１を傷つけてしまうのを防止することができる。
【００７０】
なお、上述した本実施の形態においては、メディア１１の挿入排出時以外はシャッタ２３が閉じているようにしていたが、これは、塵埃がメディア再生表示装置１０の内部へ侵入することを防止するのに役立つ。
【００７１】
また、上述した本実施の形態においては、メディア再生表示装置１０は、シャッタ２３の動作を電子制御するように構成されていたが、例えばシャッタ２３にツマミを設けた構成としてもよい。これにより、シャッタ２３を搭乗者が手動にて開閉することができる。
【００７２】
（実施の形態３）
以下、本発明の実施の形態３にかかるメディア再生表示装置について、図面を用いて説明する。
【００７３】
本実施の形態にかかるメディア再生表示装置は、表示ユニットの表示面を擦り傷などから保護するための保護カバーが、表示ユニットの表示面を覆って設けられる点において実施の形態１および実施の形態２と異なる。
【００７４】
本実施の形態にかかるメディア再生表示装置の構成は、保護カバーを有すること以外は、実施の形態１および実施の形態２にかかるメディア再生表示装置と同じである。かかる同じ構成部分には同じ符号を用いて、以下の説明を行う。
【００７５】
図１２および図１３は、本実施の形態にかかるメディア再生表示装置１０を上側からみた斜視図である。図１２および図１３は、表示ユニット３０が回動して表示ユニット収納部４０から離れている状態、つまり、搭乗者がメディア再生表示装置１０を使用する位置における状態における、メディア再生表示装置１０を示している。
【００７６】
図１２は、保護カバー５０が表示ユニット３０に取付けられる直前の状態におけるメディア再生表示装置１０を示す。そして、図１３は、保護カバー５０が表示ユニット３０に取り付けられて固定された状態におけるメディア再生表示装置１０を示す。
【００７７】
このように、本実施の形態にかかるメディア再生表示装置１０は、表示ユニット３０の表示面３５を覆った状態で固定される保護カバー５０を有する。このため、搭乗者が誤って表示ユニット３０の表示面３５にぶつかってしまうなど、何らかの影響によって表示面３５に何かが接触したとしても、その接触物は表示面３５に直接接触することがないため、表示面３５に傷が付かずに済む。
【００７８】
本実施の形態において、保護カバー５０は、例えば、次のような光透過性の素材によって構成されている。
【００７９】
すなわち、保護カバー５０は、ＰＣ（ポリカーボネート）、ＰＭＭＡ（メタクリル樹脂）、ＰＥＴ（ポリエチレンテレフタレート）等の合成樹脂、又は、それらのアロイ、石英ガラス、水晶等が用いられてよい。また、保護カバー５０は、この場合、例えば、少なくとも外側の面に対する表面処理が行われており、外側の面が鏡面として作用している。
【００８０】
ここで、保護カバー５０が鏡面として作用しているということは、保護カバー５０がミラーとして使用可能な程度に反射機能を有していることであり、ミラーとしての反射機能が確保されていれば、若干の着色又は文字もしくは図形の表示等がされていても構わない。そして、保護カバー５０が作用する鏡面を、拡大鏡面、縮小鏡面等とすることは、任意である。
【００８１】
また、鏡面反射する鏡面反射層を形成する部位は、保護カバー５０の外側の面に限らず、両面に設けても構わない。
【００８２】
以上のように構成されたメディア再生表示装置１０において、表示ユニット３０の表示面３５を覆う保護カバー５０は、鏡面として作用する。このため、表示ユニット３０の表示面３５は、メディア再生表示装置１０の電源がオフの時であって、静止画や動画を映し出さず、表示ユニット３０が表示ユニット収納部４０に収納されているときに、光の反射により、搭乗者から認識され難くなる。
【００８３】
一方で、メディア再生表示装置１０の使用時には、メディア再生表示装置１０は、電源がオンされて、表示ユニット３０に表示した文字情報、写真や図形等の画像情報の静止画像又は動画像を、保護カバー５０を透過して、搭乗者に向けて視認可能に表示することができる。
【００８４】
したがって、例えば、車外から車内を覗いてメディア再生表示装置１０を見た人にとっては、表示ユニット３０が搭載されていることが認識し難くなる。すなわち、メディア再生表示装置１０の盗難を抑止する効果を得ることができる。
【００８５】
さらに、本実施の形態における保護カバー５０は、スモークシートによって構成されていてもよい。
【００８６】
ここでスモークシートとは、明度の低い色の透過率が２０％程度の樹脂材料を指す。したがって、この場合、保護カバー５０の裏面側から透過する光は、２０％程度に減光される。
【００８７】
本実施の形態における保護カバー５０にスモークシートを適用すると、表示ユニット３０が表示した映像は、搭乗者に対する本来の直接光として、保護カバー５０の裏面に入射する。
【００８８】
このため、このように保護カバー５０の裏面に入射した映像は、保護カバー５０により減光されて、保護カバー５０の表面側から出射する。
【００８９】
以上のとおり保護カバー５０としてスモークシートを用いても、保護カバー５０は、透明樹脂材に鏡面処理したものを用いた場合と同様に作用する。すなわち、例えば、車外から車内を覗いてメディア再生表示装置１０を見た人にとっては、表示ユニット３０が搭載されていることが認識し難くなる。すなわち、メディア再生表示装置１０の盗難を抑止する効果を得ることができる。
【００９０】
なお、保護カバー５０は、表示ユニット３０の表示面３５のみならず、表示ユニット３０が表示ユニット収納部４０に収納された状態において、表示ユニット３０の全体を覆うように構成されていてもよい。さらに、保護カバー５０は、表示ユニット３０が表示ユニット収納部４０に収納された状態において、メディア挿入口２２ａを有する面の全体をも覆うように構成されていてもよい。これにより、不使用時におけるメディア再生表示装置１０そのものの装着が認識し難くなるため、メディア再生表示装置１０の盗難を抑止する効果がさらに向上する。
【００９１】
保護カバー５０の表示ユニット３０に対する固定方法は、特に限定されず、一般的には、貼付又は挟持等の方法を採用すればよい。但し、保護カバー５０が表示ユニット３０に確実に固定され、画像等の投影による視認性が確保され、かつその反射面がミラーとしての品質あるいはスモークシートとしての品質が保持される必要がある。
【００９２】
また、例えば、保護カバー５０の貼付が接着剤等を用いて行われる場合、接着剤層の厚みのばらつき発生や異物混入に伴う影の発生により、保護カバー５０の存在が視認性に悪影響を及ぼすことがある。このため、保護カバー５０の貼付および挟持は、表示ユニット３０の表示面３５全面ではなく、ケース３４のような表示面３５の枠の外などのように、外部から目につかない部位（視認性に悪影響を及ぼし難い部位）のみでスポット的に行われることが望ましい。
【００９３】
２００８年１２月１８日出願の特願２００８−３２２１６１の日本出願および２００９年８月４日出願の特願２００９−１８１４１８の日本出願に含まれる明細書、図面および要約書の開示内容は、すべて本願に援用される。
【産業上の利用可能性】
【００９４】
以上のように、本発明に係るメディア再生表示装置は、メディア挿入口が車両の前部座席に向くように配置され、なおかつ、表示ユニットの表示面が後部座席に向かうように配置される。これにより、本発明に係るメディア再生表示装置は、前部座席の搭乗者がメディアの交換作業を容易に行うことができ、操作性を向上することができるという効果を有する。したがって、本発明に係るメディア再生表示装置は、メディアに記録された音声や映像情報を再生表示するためのメディア再生ユニットと表示ユニットを一体化した装置であって、車両に搭載されるメディア再生表示装置等として有用である。
【符号の説明】
【００９５】
１０  メディア再生表示装置
１１  メディア
１２  天井
２０  メディア再生ユニット
２２  メディア再生デバイス
２２ａ  メディア挿入口
３０  表示ユニット
３１  支軸
３４  ケース
３５  表示面
４０  表示ユニット収納部
５０  保護カバー
【手続補正２】
【補正対象書類名】特許請求の範囲
【補正対象項目名】全文
【補正方法】変更
【補正の内容】
【特許請求の範囲】
【請求項１】
車両に搭載され、メディアに記録された情報を再生するメディア再生ユニットと、前記メディア再生ユニットで再生された映像情報を表示する表示ユニットとを有するメディア再生表示装置であって、
前記メディア再生ユニットの内部にメディアを挿入するためのメディア挿入口が、前記車両の前部座席に向かって設けられ、前記表示ユニットの表示面が、前記車両の後部座席から視認可能に配置され、
前記メディア挿入口は、前記メディア再生表示装置の一方の端部に設けられ、前記表示ユニットは、前記メディア再生表示装置の他方の端部に設けられた回動軸に軸支されて回動可能に設けられた、
メディア再生表示装置。
【請求項２】
前記表示ユニットを収納する表示ユニット収納部をさらに有し、
前記表示ユニットは、
前記表示面が前記車両の後部座席から視認可能な位置である視認位置と、前記表示ユニットが前記表示ユニット収納部に収納される収納位置との間を回動する、
請求項１に記載のメディア再生表示装置。
【請求項３】
前記表示ユニット収納部は、
前記表示ユニットの表示面が前記車両の天井面と平行になるように前記表示ユニットを収納する、
請求項２に記載のメディア再生表示装置。
【請求項４】
前記メディア挿入口を覆うシャッタをさらに有する、
請求項１に記載のメディア再生表示装置。
【請求項５】
前記シャッタは、
前記メディア挿入口に対して上下にスライド可能に設けられる、
請求項４に記載のメディア再生表示装置。
【請求項６】
メディアの挿入完了を検出するメディア挿入完了検出手段をさらに有し、
前記シャッタは、
前記メディア挿入完了検出手段の検出結果に応じてスライド動作を行う、
請求項５に記載のメディア再生表示装置。
【請求項７】
前記表示ユニットの表示部を覆う保護カバーをさらに有する、
請求項１に記載のメディア再生表示装置。
【請求項８】
前記保護カバーは、
表面が鏡面処理されている、
請求項７に記載のメディア再生表示装置。
【請求項９】
前記保護カバーは、
スモークシートにより構成される、
請求項７に記載のメディア再生表示装置。
【手続補正３】
【補正対象書類名】図面
【補正対象項目名】全図
【補正方法】変更
【補正の内容】
【図１】
2010070916.tif 000016
【図２】
2010070916.tif 000017
【図３】
2010070916.tif 000018
【図４】
2010070916.tif 000019
【図５】
2010070916.tif 000020
【図６】
2010070916.tif 000021
【図７】
2010070916.tif 000022
【図８】
2010070916.tif 000023
【図９】
2010070916.tif 000024
【図１０】
2010070916.tif 000025
【図１１】
2010070916.tif 000026
【図１２】
2010070916.tif 000027
【図１３】
2010070916.tif 000028
【国際調査報告】
2010070916.tif 000029
2010070916.tif 000030
2010070916.tif 000031
2010070916.tif 000032
2010070916.tif 000033
2010070916.tif 000034